(57)【要約】【課題】  燃料タンク内に貯留された燃料が粗悪燃料であるか否かを正確に判定する。【解決手段】  油圧ショベル１は、エンジン７に供給される燃料が貯留された燃料タンク１５と、燃料タンク１５内に設けられ燃料タンク１５に貯留された燃料の液面高さに追従するフロート１９Ｂの位置により燃料の残量を検出する燃料残量検出装置１９とを備えている。フロート１９Ｂには、燃料タンク１５に貯留された燃料の成分を検出する燃料成分検出センサ２０が設けられている。これにより、燃料成分検出センサ２０は、燃料タンク１５内で常に燃料に接した状態で燃料の成分を検出することができる。【選択図】        図３
2020133569.tif 000002
【特許請求の範囲】
【請求項１】
自走可能な本体と、前記本体に搭載されたエンジンと、前記本体に搭載され内部に前記エンジンに供給される燃料が貯留された燃料タンクと、前記燃料タンク内に設けられ前記燃料タンク内に貯留された燃料の液面高さに追従するフロートの位置により燃料の残量を検出する燃料残量検出装置とを備えてなる建設機械において、
前記フロートには、前記燃料タンク内に貯留された燃料の成分を検出する燃料成分検出センサが設けられていることを特徴とする建設機械。
【請求項２】
前記エンジンの始動、停止を制御するコントローラを備え、
前記コントローラは、
前記燃料成分検出センサによって検出された前記燃料の成分が適正な燃料の成分とは異なるときに、前記エンジンの始動を禁止させることを特徴とする請求項１に記載の建設機械。
【請求項３】
前記燃料残量検出装置は、内部が中空部となったパイプ体からなり基端が前記燃料タンクに回動可能に取付けられると共に先端に前記フロートが取付けられた回動アームを有し、
前記回動アームの中空部には、一端が前記燃料成分検出センサに接続され他端が前記燃料タンクの外部に導出されるハーネスが配置されていることを特徴とする請求項１に記載の建設機械。
【発明の詳細な説明】
【技術分野】
【０００１】
本発明は、燃料を貯留する燃料タンクを備えた建設機械に関する。
【背景技術】
【０００２】
一般に、建設機械を代表する油圧ショベルは、前，後方向に自走可能な下部走行体と、下部走行体上に旋回可能に搭載された上部旋回体とを有し、これら下部走行体と上部旋回体とにより車体が構成されている。上部旋回体の前側には作業装置が設けられ、この作業装置を用いて土砂の掘削作業等が行われる。
【０００３】
油圧ショベルの上部旋回体は、ベースとなる旋回フレームと、旋回フレームの前側に設けられたキャブと、旋回フレームの後側に搭載されたエンジン（ディーゼルエンジン）と、エンジンに取付けられた油圧ポンプと、これらエンジン、油圧ポンプ等を覆って旋回フレーム上に設けられた建屋カバーとを含んで構成されている。また、上部旋回体には、排気ガス規制に対応するため、エンジンからの排気ガスを浄化する排気ガス浄化装置が搭載されている。
【０００４】
ここで、排気ガス浄化装置は、一酸化炭素（ＣＯ）、炭化水素（ＨＣ）等を酸化して除去する酸化触媒、窒素酸化物（ＮＯｘ）をアンモニアによって選択的に還元反応させて窒素と水とに分解する選択還元触媒、粒子状物質（ＰＭ）を除去する粒子状物質除去フィルタ等を含んで構成されている。
【０００５】
一方、近年では、エンジンの高出力化、高効率化を実現するため、コモンレールシステムと呼ばれる燃料噴射装置が搭載された油圧ショベルも提案されている。このコモンレールシステムは、容器（レール）内に溜めた高圧な燃料を、電子制御によって最適なタイミングと圧力でエンジンに噴射するものである。
【０００６】
ここで、油圧ショベルに搭載された排気ガス浄化装置やコモンレールシステムは、使用される燃料の成分が適正であることを前提としている。従って、不適正な成分を含む燃料、例えば高濃度の硫黄成分を含有した粗悪燃料が使用された場合には、エンジンの耐久性が低下したり、排気ガス浄化装置やコモンレールシステムが適正に作動せず、性能の劣化や破損、故障等を招くという問題がある。このため、燃料タンクに給油された燃料が粗悪燃料であるか否かを、エンジンの始動前に正確に判定する必要がある。
【０００７】
これに対し、従来技術では、燃料タンク内に貯留された燃料の液面高さを検知するレベルセンサと、燃料タンクの底面における燃料の圧力を検知する圧力センサとを備えた燃料品質判定装置が提案されている。この燃料品質判定装置は、燃料の液面高さと燃料タンク内の燃料の圧力とに基づいて燃料の密度を算出し、この燃料の密度が適正な燃料の範囲に含まれるか否かによって燃料の品質を判定する（特許文献１）。また、燃料の紫外線吸光強度を検出するセンサ、燃料の色の属性値を検出するセンサ等を用いて粗悪燃料を判別する装置も提案されている（特許文献２）。
【先行技術文献】
【特許文献】
【０００８】
【特許文献１】特開２００９−１８４４７５号公報
【特許文献２】特許第５５５５８７０号公報
【発明の概要】
【発明が解決しようとする課題】
【０００９】
しかし、特許文献１による燃料品質判定装置では、油圧ショベルが平坦ではない傾斜地に停車（駐機）した場合には、燃料タンクに貯留された燃料の液面が傾斜することにより、燃料の液面及びタンク底面での圧力を正確に検出することができない。このため、レベルセンサや圧力センサの検出値が誤差を生じ、燃料の品質を正確に判定できないという問題がある。
【００１０】
一方、特許文献２による粗悪燃料の判別装置は、燃料ポンプによってエンジンに供給された燃料のうちの余剰分を燃料タンクに戻す回路（戻り回路）の途中に設けられている。このため、燃料タンク内に粗悪燃料が給油されたとしても、戻り回路内に適正な燃料が残留していた場合には、この戻り回路内の燃料の成分が検知されることにより、燃料タンク内に給油された燃料が粗悪燃料であることを正確に判別することができないという問題がある。
【００１１】
本発明は上述した従来技術の問題に鑑みなされたもので、本発明の目的は、燃料タンクに貯留された燃料が粗悪燃料であるか否かを正確に判定することができ、エンジンの耐久性を高めることができるようにした建設機械を提供することにある。
【課題を解決するための手段】
【００１２】
本発明は、自走可能な本体と、前記本体に搭載されたエンジンと、前記本体に搭載され内部に前記エンジンに供給される燃料が貯留された燃料タンクと、前記燃料タンク内に設けられ前記燃料タンク内に貯留された燃料の液面高さに追従するフロートの位置により燃料の残量を検出する燃料残量検出装置とを備えてなる建設機械に適用される。
【００１３】
本発明の特徴は、前記フロートには、前記燃料タンク内に貯留された燃料の成分を検出する燃料成分検出センサが設けられていることにある。
【発明の効果】
【００１４】
本発明によれば、燃料成分検出センサは、燃料タンク内で常に燃料に接した状態で燃料の成分を検出することができる。このため、建設機械が傾斜地に停車した場合や燃料の液面位置が低い場合でも、燃料の成分を正確に検出することができる。従って、エンジンに粗悪燃料が供給されるのを抑え、エンジンの耐久性を高めることができる。
【図面の簡単な説明】
【００１５】
【図１】本発明の実施の形態が適用された油圧ショベルを示す正面図である。
【図２】油圧ショベルを上方から見た平面図である。
【図３】油圧ショベルに搭載された燃料タンクを示す図２中の矢示III−III方向から見た断面図である。
【図４】燃料成分検出センサ、イグニションキー、モニタ装置、エンジン、コントローラ等を概略的に示すブロック図である。
【図５】コントローラが粗悪燃料を判定するときの制御処理を示す流れ図である。
【発明を実施するための形態】
【００１６】
以下、本発明の実施の形態について、油圧ショベルに適用した場合を例に挙げ、添付図面に従って詳細に説明する。なお、実施の形態では、後述する油圧ショベル１の走行方向を前，後方向とし、油圧ショベル１の走行方向と直交する方向を左，右方向として説明する。
【００１７】
図中、建設機械を代表する油圧ショベル１は、前，後方向に自走可能なクローラ式の下部走行体２と、下部走行体２上に旋回可能に搭載された上部旋回体３と、上部旋回体３の前側に設けられた作業装置４とを含んで構成されている。下部走行体２と上部旋回体３とは、油圧ショベル１の本体（車体）を構成している。油圧ショベル１は、下部走行体２によって作業現場を走行し、上部旋回体３を旋回させつつ作業装置４を俯仰動させることにより、土砂の掘削作業等を行う。
【００１８】
上部旋回体３は、ベースとなる旋回フレーム５を有している。旋回フレーム５は、左，右方向の中央部に位置するセンタフレーム５Ａと、センタフレーム５Ａの左側に配置された左サイドフレーム５Ｂ（図１参照）と、センタフレーム５Ａの右側に配置された右サイドフレーム５Ｃ（図３参照）とを含んで構成されている。センタフレーム５Ａには、左，右方向に一定の間隔をもって前，後方向に延びた左縦板５Ｄ及び右縦板５Ｅが立設され、これら左縦板５Ｄ及び右縦板５Ｅの前側には、作業装置４のフート部が俯仰動可能に取付けられている。一方、左縦板５Ｄ及び右縦板５Ｅの後側には、作業装置４との重量バランスをとるカウンタウエイト６が設けられている。
【００１９】
エンジン７は、カウンタウエイト６の前側に位置して旋回フレーム５上に搭載されている。エンジン７は軽油を燃料とするディーゼルエンジンからなり、左，右方向に延びる横置き状態に配置されている。エンジン７の左側には冷却ファン７Ａが設けられ、エンジン７の右側には油圧ポンプ８が設けられている。エンジン７は、後述する燃料タンク１５からの燃料が供給されることにより作動し、油圧ポンプ８を駆動する。油圧ポンプ８は、エンジン７によって駆動されることにより、油圧ショベル１に搭載された各種の油圧アクチュエータに向けて圧油を供給する。
【００２０】
熱交換器９は、エンジン７の左側に位置して旋回フレーム５上に搭載されている。熱交換器９は、例えばラジエータ、オイルクーラ等を含んで構成されている。ラジエータは、冷却ファン７Ａによって発生した冷却風によってエンジン冷却水を冷却することにより、エンジン７を冷却する。オイルクーラは、各種の油圧アクチュエータから後述する作動油タンク１４に戻る戻り油（作動油）を冷却風によって冷却する。
【００２１】
キャブ１０は、旋回フレーム５の左前側に設けられている。キャブ１０は、オペレータが搭乗する運転室を画成している。キャブ１０内には、後述のモニタ装置２７、運転席、走行用操作レバー装置、作業用操作レバー装置等（いずれも図示せず）が設けられている。運転席に着席したオペレータが走行用操作レバー装置を操作することにより、油圧ショベル１の走行動作が制御される。また、オペレータが作業用操作レバー装置を操作することにより、上部旋回体３の旋回動作、作業装置４の動作が制御される。
【００２２】
建屋カバー１１は、カウンタウエイト６の前側に位置して旋回フレーム５上に設けられている。建屋カバー１１とカウンタウエイト６とによって囲まれた空間は機械室１２となり、この機械室１２内にエンジン７、油圧ポンプ８、熱交換器９等の搭載機器が収容されている。建屋カバー１１は、左側面カバー１１Ａと、右側面カバー１１Ｂと、上面カバー１１Ｃとを含んで構成されている。左側面カバー１１Ａは、カウンタウエイト６の左端とキャブ１０との間に配置され、左サイドフレーム５Ｂから上方に立上っている。右側面カバー１１Ｂは、カウンタウエイト６の右端と後述する燃料タンク１５との間に配置され、右サイドフレーム５Ｃから上方に立上っている。上面カバー１１Ｃは、左側面カバー１１Ａの上端と右側面カバー１１Ｂの上端との間を左，右方向に延び、エンジン７等の搭載機器を上方から覆っている。
【００２３】
排気ガス浄化装置１３は、エンジン７の排気管に接続された状態で、機械室１２内に設けられている。排気ガス浄化装置１３は、酸化触媒、選択還元触媒、粒子状物質除去フィルタ等を含んで構成されている。酸化触媒は、一酸化炭素（ＣＯ）、炭化水素（ＨＣ）等を酸化して除去する。選択還元触媒は、窒素酸化物（ＮＯｘ）をアンモニアによって選択的に還元反応させ、窒素と水とに分解する。粒子状物質除去フィルタは、粒子状物質（ＰＭ）を捕捉して除去する。
【００２４】
作動油タンク１４は、旋回フレーム５を構成する右縦板５Ｅの右側で、かつ油圧ポンプ８の前側に位置して旋回フレーム５上に搭載されている。作動油タンク１４は、油圧ショベル１に搭載された各種の油圧アクチュエータに供給される作動油を貯留している。作動油タンク１４の右側は、建屋カバー１１の右側面カバー１１Ｂによって覆われている。
【００２５】
燃料タンク１５は、旋回フレーム５を構成する右縦板５Ｅの右側で、かつ作動油タンク１４の前側に位置して旋回フレーム５上に搭載されている。燃料タンク１５は、エンジン７に供給される燃料を貯留している。図２及び図３に示すように、燃料タンク１５は、底面板１５Ａ、前面板１５Ｂ、後面板１５Ｃ、左側面板１５Ｄ、右側面板１５Ｅ、上面板１５Ｆによって囲まれた箱体として形成されている。燃料タンク１５の左側面板１５Ｄには取付孔１５Ｇが形成され、この取付孔１５Ｇには、後述する燃料残量検出器１９が取付けられている。燃料タンク１５は、旋回フレーム５のセンタフレーム５Ａと右サイドフレーム５Ｃとの間に設けられた張出しビーム５Ｆの上面と、右サイドフレーム５Ｃの上面とに固定されている。
【００２６】
燃料タンク１５の底面板１５Ａには、廃液を排出するためのドレンプラグ１６が設けられている。燃料タンク１５の上面板１５Ｆには円筒状の給油口１７が設けられ、この給油口１７を通じて燃料タンク１５内に燃料が供給される。燃料タンク１５の上面板１５Ｆには、燃料タンク１５の内部に位置して燃料上限設定器１８が設けられている。燃料上限設定器１８は、燃料タンク１５内に供給される燃料の上限位置を設定し、燃料タンク１５から燃料が溢れるのを防止している。
【００２７】
燃料残量検出装置１９は、燃料タンク１５に設けられている。燃料残量検出装置１９は、燃料タンク１５に貯留された燃料の液面Ｌの高さによって燃料の残量を検出している。ここで、燃料残量検出装置１９は、内部が中空部となったパイプ体からなる回動アーム１９Ａと、回動アーム１９Ａに取付けられた中空な球状体からなるフロート１９Ｂと、燃料タンク１５の左側面板１５Ｄに取付けられ先端が取付孔１５Ｇを通じて燃料タンク１５内に突出した液面位置検出器１９Ｃとにより構成されている。
【００２８】
回動アーム１９Ａの基端１９Ｄは、燃料タンク１５内に突出した液面位置検出器１９Ｃの先端に回動可能に取付けられ、回動アーム１９Ａの回動中心となっている。回動アーム１９Ａの先端１９Ｅは自由端となり、フロート１９Ｂは、回動アーム１９Ａの先端１９Ｅに取付けられ、燃料タンク１５内に貯留された燃料の液面Ｌ上に浮かぶ。従って、フロート１９Ｂは、燃料の液面Ｌの変位に追従し、回動アーム１９Ａは、基端１９Ｄを中心として実線で示す下降位置と二点鎖線で示す上昇位置との間で移動する。液面位置検出器１９Ｃは、回動アーム１９Ａの基端１９Ｄの回動変位量に応じて燃料の液面位置（液面高さ）を検出する。これにより、常に燃料タンク１５内に蓄えられた燃料の残量を検出することができる。  
【００２９】
次に、本実施の形態に用いられる燃料成分検出センサ２０について説明する。
【００３０】
燃料成分検出センサ２０は、燃料残量検出装置１９のフロート１９Ｂに取付けられている。燃料成分検出センサ２０は、例えば燃料タンク１５に貯留された燃料に含まれる硫黄成分の濃度を検出する。燃料成分検出センサ２０は、フロート１９Ｂの下面側に取付けられ、フロート１９Ｂが下降位置と上昇位置との間の領域にあるときには常に燃料に接している。
【００３１】
燃料成分検出センサ２０には、例えば電源あるいは中継器２１に接続されるハーネス２０Ａの一端が接続されている。このハーネス２０Ａは、燃料残量検出装置１９のフロート１９Ｂ、回動アーム１９Ａの中空部内に挿通され、液面位置検出器１９Ｃを介して燃料タンク１５の外部に導出されている。
【００３２】
ここで、燃料タンク１５の底面板１５Ａ付近には、水等の燃料以外の液体が滞留している可能性がある。このため、仮に燃料成分検出センサ２０を、燃料タンク１５の底面板１５Ａに設けた場合には、燃料成分検出センサ２０によって燃料に含まれる硫黄成分の濃度を正確に検出することができなくなる。これに対し、実施の形態では、燃料の液面Ｌの位置を検出する燃料残量検出装置１９のフロート１９Ｂに燃料成分検出センサ２０を設けることにより、燃料タンク１５の底面板１５Ａ付近に滞留した水等の影響を受けることなく、燃料に含まれる硫黄成分の濃度を正確に検出できる構成となっている。さらに、フロート１９Ｂに設けられた燃料成分検出センサ２０は、燃料タンク１５内で常に燃料に接した状態で燃料の成分を検出することができる。従って、油圧ショベル１が駐機する地面の傾斜や、燃料タンク１５への燃料の供給量（液面Ｌの位置）に関わらず、燃料に含まれる硫黄成分の濃度（燃料の成分）を正確に検出することができる。
【００３３】
中継器２１は、液面位置検出器１９Ｃに隣接して燃料タンク１５の外側に設けられている。中継器２１には、燃料成分検出センサ２０に接続されたハーネス２０Ａの他端が接続されている。中継器２１は、例えば他のハーネス（図示せず）を介して後述するコントローラ２２に接続されている。これにより、燃料成分検出センサ２０による検出情報、即ち、燃料タンク１５内の燃料に含まれる硫黄成分の濃度は、ハーネス２０Ａ、中継器２１等を介してコントローラ２２に出力される。
【００３４】
コントローラ２２は、例えば上部旋回体３に設けられている。コントローラ２２は、燃料成分検出センサ２０によって判定された燃料の成分（硫黄成分の濃度）に基づいて燃料タンク１５内の燃料が粗悪燃料であるか否かを判定し、この判定結果に応じてエンジン７の始動、停止を制御する。図４に示すように、コントローラ２２は、粗悪燃料判定部２３と、モニタ制御部２４と、エンジン始動制御部２５とを有している。コントローラ２２の入力側には、判定情報出力装置２１と、エンジン７を始動するときに操作されるイグニションキー２６が接続されている。コントローラ２２の出力側には、エンジン７とモニタ装置２７が接続されている。
【００３５】
粗悪燃料判定部２３は、燃料成分検出センサ２０から入力された検出情報が示す燃料中の硫黄成分の濃度に基づいて、燃料タンク１５内の燃料が、硫黄成分を多量に含む粗悪燃料であるか否かを判定する。そして、粗悪燃料判定部２３は、例えばイグニションキー２６によってエンジン７の始動操作が行われたタイミングで、モニタ制御部２４とエンジン始動制御部２５とに制御信号を出力する。
【００３６】
モニタ制御部２４は、粗悪燃料判定部２３によって燃料タンク１５内の燃料が粗悪燃料であると判定されたときには、キャブ１０内に設けられたモニタ装置２７に対し、燃料タンク１５内の燃料が粗悪燃料であることを示す制御信号を出力する。これにより、モニタ装置２７は、イグニションキー２６を操作したオペレータに対し、燃料が粗悪燃料であることを報知し、オペレータに対し、例えば燃料の入換えを促す。この場合、モニタ装置２７としては、例えば文字等を出力する画像表示装置、ブザー、ランプ等の警報装置を用いることができる。
【００３７】
エンジン始動制御部２５は、エンジン７の始動、停止を制御する制御信号をエンジン７に出力する。粗悪燃料判定部２３によって燃料タンク１５内の燃料が粗悪燃料であると判定されたときには、エンジン始動制御部２５は、エンジン７に対し、始動を停止させる制御信号を出力する。一方、粗悪燃料判定部２３によって燃料タンク１５内の燃料が粗悪燃料ではない（適正な燃料である）と判定されたときには、エンジン始動制御部２５は、エンジン７に対し、始動を許可する制御信号を出力する。
【００３８】
このように、コントローラ２２は、燃料成分検出センサ２０によって、燃料タンク１５内の燃料に含まれる硫黄成分の濃度が、粗悪燃料に含まれる硫黄成分の濃度の範囲内にあると判定されたとき、即ち、燃料成分検出センサ２０によって判定された燃料タンク１５内の燃料の成分が、適正な燃料の成分と異なるときには、エンジン７の始動を禁止させる。一方、コントローラ２２は、燃料成分検出センサ２０によって判定された燃料タンク１５内の燃料の成分が、適正な燃料の成分であるときには、エンジン７の始動を許可する。
【００３９】
本実施の形態による油圧ショベル１は上述の如き構成を有するもので、次に、油圧ショベル１の動作について説明する。
【００４０】
オペレータは、キャブ１０に搭乗して運転席に座り、イグニションキー２６を操作する。このとき、燃料タンク１５内のフロート１９Ｂに取付けられた燃料成分検出センサ２０が、燃料タンク１５に貯留された燃料に含まれる硫黄成分の濃度を検出する。燃料成分検出センサ２０による検出情報は、ハーネス２０Ａ、中継器２１等を介してコントローラ２２の粗悪燃料判定部２３に出力される。粗悪燃料判定部２３は、燃料成分検出センサ２０からの検出情報（燃料中の硫黄成分の濃度）に基づいて、燃料タンク１５内の燃料が、硫黄成分を多量に含む粗悪燃料であるか否かを判定する。そして、粗悪燃料判定部２３は、モニタ制御部２４とエンジン始動制御部２５とに制御信号を出力する。
【００４１】
ここで、燃料タンク１５内に貯留された燃料が適正な燃料である場合には、エンジン始動制御部２５からエンジン７に対して始動を許可する制御信号が出力され、エンジン７が始動する。この状態で、キャブ１０内に配置された走行用操作レバー装置を操作することにより、油圧ショベル１を前進または後退させることができる。また、作業用操作レバー装置を操作することにより、上部旋回体３を旋回させつつ作業装置４を用いて土砂の掘削作業等を行うことができる。
【００４２】
一方、燃料タンク１５内に、硫黄成分の濃度が高い粗悪燃料が貯留されている場合には、イグニションキー２６が操作されたとしても、エンジン始動制御部２５からエンジン７に対して始動を禁止する制御信号が出力され、エンジン７は停止状態を維持する。これと同時に、モニタ制御部２４からキャブ１０内のモニタ装置２７に制御信号が出力され、モニタ装置２７は、燃料が粗悪燃料であることをオペレータに報知し、オペレータに燃料の入換えを促す。
【００４３】
このように、コントローラ２２は、フロート１９Ｂに設けられた燃料成分検出センサ２０からの検出情報に基づいて、燃料タンク１５内に貯留された燃料が粗悪燃料であるか否かを、エンジン７の始動前に判定し、この判定結果に応じてエンジン７の始動、停止を制御する。このときにコントローラ２２が実行する制御処理について、図５を参照しつつ説明する。
【００４４】
オペレータがキャブ１０内でイグニションキー２６を操作すると、コントローラ２２による制御処理がスタートする。まず、ステップ１において、コントローラ２２は、燃料成分検出センサ２０からの検出情報、即ち、燃料成分検出センサ２０によって検出された硫黄成分濃度の検出情報を読込み、ステップ２に進む。
【００４５】
ステップ２では、粗悪燃料判定部２３において、燃料タンク１５内の燃料が硫黄成分を多量に含む粗悪燃料であるか否かを判定する。ステップ２で「ＮＯ」と判定された場合にはステップ３に進む。ステップ３では、エンジン始動制御部２５からエンジン７に対し、エンジン７の始動を許可する制御信号を出力し、制御処理を終了する。
【００４６】
一方、ステップ２で「ＹＥＳ」と判定された場合には、ステップ４に進む。ステップ４では、モニタ制御部２４からモニタ装置２７に制御信号を出力し、燃料タンク１５内の燃料が粗悪燃料であることをモニタ装置２７によってオペレータに報知する。続くステップ５では、エンジン始動制御部２５からエンジン７に制御信号を出力し、エンジン７の始動を禁止した後、制御処理を終了する。
【００４７】
このように、本実施の形態によれば、燃料タンク１５内に貯留された燃料が、硫黄成分の濃度が高い粗悪燃料であるときには、イグニションキー２６が操作されたタイミングで、コントローラ２２によってエンジン７の始動を禁止することができる。これと同時に、キャブ１０内に設けられたモニタ装置２７によって、燃料タンク１５内の燃料が粗悪燃料であることをオペレータに報知し、適正な燃料への交換を促すことができる。
【００４８】
この結果、粗悪燃料によってエンジン７が作動してしまうのを抑えることができ、エンジン７の耐久性の低下を防止することができる。また、粗悪燃料に代えて適正な燃料を用いることにより、排気ガス浄化装置１３の機能を適正に保つことができ、エンジン７から排出される排気ガスを排気ガス規制に適合させることができる。
【００４９】
かくして、実施の形態によれば、油圧ショベル１は、自走可能な下部走行体２及び上部旋回体３と、上部旋回体３に搭載されたエンジン７と、上部旋回体３に搭載され内部にエンジン７に供給される燃料が貯留された燃料タンク１５と、燃料タンク１５内に設けられ燃料タンク１５に貯留された燃料の液面Ｌの高さに追従するフロート１９Ｂの位置により燃料の残量を検出する燃料残量検出装置１９とを備えている。そして、フロート１９Ｂには、燃料タンク１５に貯留された燃料の成分を検出する燃料成分検出センサ２０が設けられている。
【００５０】
これにより、燃料成分検出センサ２０は、燃料タンク１５内で常に燃料に接した状態で燃料の成分を検出することができる。このため、油圧ショベル１が傾斜面に駐機することにより燃料タンク１５内の燃料の液面Ｌが傾斜している場合や、燃料タンク１５への燃料の給油量が少なく燃料の液面Ｌが低い場合においても、燃料の成分（燃料に含まれる硫黄成分の濃度）を正確に検出することができる。従って、燃料タンク１５内に貯留された燃料が粗悪燃料であるか否かを燃料成分検出センサ２０によって検出し、この検出結果に基づいてエンジン７の始動、停止を正確に制御することができる。この結果、粗悪燃料によってエンジン７が作動してしまうのを抑えることができ、エンジン７の耐久性の低下を防止することができる。
【００５１】
なお、本実施の形態では、燃料タンク１５内の燃料に含まれた硫黄成分の濃度が、粗悪燃料に含まれる硫黄成分の濃度の範囲内にあるか否かを判定する燃料成分検出センサ２０を例示している。しかし、本発明はこれに限るものではなく、粗悪燃料に含まれる硫黄以外の他の成分の濃度を検出し、この他の成分の濃度に基づいて粗悪燃料であるか否かを判定する燃料成分検出センサを用いる構成としてもよい。
【００５２】
また、本実施の形態では、燃料タンク１５内でフロート１９Ｂに取付けられた燃料成分検出センサ２０と、燃料タンク１５の外部に取付けられた中継器２１との間を、ハーネス２０Ａによって接続し、このハーネス２０Ａ、中継器２１等を介して、燃料成分検出センサ２０とコントローラ２２との間で検出情報のやり取りを行う場合を例示している。しかし、本発明はこれに限らず、例えば無線通信によって、燃料成分検出センサ２０とコントローラ２２との間で検出情報をやり取りする構成としてもよい。
【００５３】
さらに、実施の形態では、クローラ式の下部走行体２を備えた油圧ショベル１を例に挙げて説明した。しかし、本発明はこれに限らず、ホイール式の下部走行体を備えた油圧ショベルに適用してもよい。
【符号の説明】
【００５４】
１  油圧ショベル（建設機械）
２  下部走行体（本体）
３  上部旋回体（本体）
７  エンジン
１５  燃料タンク
１９  燃料残量検出装置
１９Ａ  回動アーム
１９Ｂ  フロート
２０  燃料成分検出センサ
２０Ａ  ハーネス
２２  コントローラ
【図１】
2020133569.tif 000003
【図２】
2020133569.tif 000004
【図３】
2020133569.tif 000005
【図４】
2020133569.tif 000006
【図５】
2020133569.tif 000007